(57)【要約】【課題】カッターおよび回転ロッドを利用して薄紙を切断する切断機構を有する薄紙巻付装置を提供する。【解決手段】薄紙巻付装置は、上巻きローラ１２、少なくとも１つのガイド板１３、下巻きローラ１５および押さえローラ１６を含む。ガイド板１３は、上巻きローラ１２のローラ面の下方付近に配置される上、上巻きローラ１２との間にシュート３が形成されている。上巻きローラ１２と下巻きローラ１５と押さえローラ１６との間には、巻付部が形成されている。シュート３を通過した薄紙４は、巻付部１９において第１の紙管５に巻き付けられ、紙ロール５１を形成する。上巻きローラ１２の下方付近には、切断機構が配置されている。切断機構は、回転軸、少なくとも１つの回転ロッド１４２、駆動機構、少なくとも１つのカッター、吸気シュートおよび吸気装置を含む。【選択図】図７
2011190107.tif 000002
【特許請求の範囲】
【請求項１】
薄紙巻付装置の薄紙切断方法であって、
前記薄紙巻付装置は、上巻きローラ、少なくとも１つのガイド板、下巻きローラおよび押さえローラを含み、
前記ガイド板は、前記上巻きローラのローラ面の下方付近に配置される上、前記上巻きローラとの間にシュートが形成され、
前記上巻きローラと前記下巻きローラと前記押さえローラとの間には、巻付部が形成され、
前記上巻きローラの下方には、切断機構が配置され、前記切断機構は、回転軸と、前記回転軸から突出した回転ロッドと、を含み、前記回転ロッドは、薄紙接触端を含み、前記薄紙接触端には、少なくとも１つの吸着口が形成され、前記回転ロッドの薄紙接触端の吸着口の側辺の付近には、少なくとも１つのカッターが配置され、
前記薄紙巻付装置の薄紙切断方法は、
（ａ）薄紙を一回転方向に回転する前記上巻きローラの下半部のローラ面に貼り付け、前記シュートを通過させるステップと、
（ｂ）前記シュートを通過した薄紙を前記巻付部において第１の紙管上に巻き付け、紙ロールを形成するステップと、
（ｃ）前記回転ロッドを駆動して前記上巻きローラの回転方向と同一の方向に回転させ、前記回転ロッドの薄紙接触端を前記上巻きローラの接触位置の方向に周期的に回転させ、前記回転ロッドの薄紙接触端が前記接触位置に到達したとき、前記回転ロッドの薄紙接触端は、前記薄紙に接触する上、前記回転ロッドの薄紙接触端の回転方向は、前記上巻きローラの回転方向と逆方向であるステップと、
（ｄ）前記回転ロッドの薄紙接触端が前記接触位置に位置するとき、前記吸着口により前記シュートを通過する薄紙を吸着するステップと、
（ｅ）前記薄紙を巻付部に形成される紙ロールの引張力により引っ張って緊張させ、前記カッターを前記薄紙に緊密に当接し、前記薄紙を切断するステップと、を含むことを特徴とする薄紙巻付装置の薄紙切断方法。
【請求項２】
前記回転ロッドの薄紙接触端の吸着口と、前記カッターと、の間には、少なくとも１つの補助吸着口が設けられ、前記ステップ（ｄ）において、回転ロッドの薄紙接触端が前記接触位置に位置するとき、前記補助吸着口および前記薄紙接触端の吸着口は、前記薄紙を同時に吸着することを特徴とする請求項１記載の薄紙巻付装置の薄紙切断方法。
【請求項３】
前記ステップ（ｃ）において、前記回転ロッドの薄紙接触端が前記接触位置まで回転したとき、前記回転ロッドの薄紙接触端は、前記薄紙を吸着する上、前記薄紙を前記上巻きローラの下半部のローラ面に緊密に接触させることを特徴とする請求項１記載の薄紙巻付装置の薄紙切断方法。
【請求項４】
薄紙巻付装置の薄紙切断構造であって、
前記薄紙巻付装置は、上巻きローラ、少なくとも１つのガイド板、下巻きローラおよび押さえローラを含み、
前記ガイド板は、前記上巻きローラのローラ面の下方付近に配置される上、前記上巻きローラとの間にシュートが形成され、
前記上巻きローラと前記下巻きローラと前記押さえローラとの間には、巻付部が形成され、
前記シュートを通過した薄紙は、前記巻付部において第１の紙管に巻き付けられ、紙ロールを形成し、
前記上巻きローラの下方付近には、切断機構が配置され、
前記切断機構は、
外側環状面を有する回転軸と、
前記回転軸の外側環状面に配置され、前記回転軸の外側環状面に連結固定される回転軸連結端と、前記回転軸の外側環状面から突出する上、少なくとも１つの吸着口が形成される薄紙接触端と、を含む少なくとも１つの回転ロッドと、
前記回転軸に連結され、前記回転軸を回転中心とし、前記回転ロッドを回転させるのに使用され、前記回転ロッドの薄紙接触端を回転軌跡円に沿って接触位置まで周期的に回転させるか、前記接触位置から離させ、前記回転ロッドの薄紙接触端が前記接触位置のとき、前記回転ロッドの薄紙接触端は、前記薄紙に接触する駆動機構と、
前記回転ロッドの薄紙接触端の吸着口の側辺の付近に配置される少なくとも１つのカッターと、
前記回転軸の内部に形成され、中空シュートにより、前記薄紙接触端の吸着口に連通する前記吸気シュートと、
前記回転軸に連結される上、前記吸気シュートに連通し、前記回転ロッドの薄紙接触端の吸着口に真空吸着力を形成する吸気装置と、を含み、
前記駆動機構の駆動により、前記回転ロッドの薄紙接触端が前記接触位置まで回転したとき、前記回転ロッドの薄紙接触端の吸着口は、前記シュートを通過する薄紙を吸着し、前記薄紙は、巻付部に形成される紙ロールの引張力により引っ張られて緊張し、前記カッターが前記薄紙に緊密に当接されることにより、切断されることを特徴とする薄紙巻付装置の薄紙切断構造。
【請求項５】
前記回転ロッドの薄紙接触端が前記接触位置まで回転したとき、前記回転ロッドの薄紙接触端の回転方向は、前記上巻きローラの回転方向と逆方向であることを特徴とする請求項４記載の薄紙巻付装置の薄紙切断構造。
【請求項６】
前記回転ロッドの薄紙接触端の吸着口の付近には、前記中空シュートに連通する少なくとも１つの補助吸着口がさらに設けられることを特徴とする請求項４記載の薄紙巻付装置の薄紙切断構造。
【請求項７】
前記補助吸着口は、前記回転ロッドの薄紙接触端の吸着口と、前記カッターと、の間に位置することを特徴とする請求項６記載の薄紙巻付装置の薄紙切断構造。
【請求項８】
前記カッターは、前記回転ロッドの回転軌跡円から突出することを特徴とする請求項４記載の薄紙巻付装置の薄紙切断構造。
【請求項９】
前記補助吸着口の形成位置は、前記回転ロッドの回転軌跡円よりも低い位置であることを特徴とする請求項６記載の薄紙巻付装置の薄紙切断構造。
【請求項１０】
前記回転ロッドの薄紙接触端が接触位置まで回転したとき、前記回転ロッドの薄紙接触端は、前記薄紙を前記上巻きローラに緊密に接触させることを特徴とする請求項４記載の薄紙巻付装置の薄紙切断構造。
【請求項１１】
前記カッターのカッター面は、鋸歯状構造であることを特徴とする請求項４記載の薄紙巻付装置の薄紙切断構造。
【発明の詳細な説明】
【技術分野】
【０００１】
本発明は、薄紙の切断方法に関し、特に、薄紙巻付装置の薄紙切断方法および機構に関する。
【背景技術】
【０００２】
典型的な従来の薄紙巻付装置は、主に、上巻きローラ、ガイド板、下巻きローラおよび押さえローラを含む。ガイド板は、上巻きローラのローラ面の下方付近に配置される上、上巻きローラとの間にシュートが形成される。上巻きローラと下巻きローラと押さえローラとの間には、巻付部が形成される。
【０００３】
一般に、薄紙巻付装置の紙管は、先ず、搬送装置により、上巻きローラの側部に搬送され、次に、プッシュロッドにより、ガイド板シュートに押し込まれ、その後、巻付部に到達する。次に、紙管上に薄紙が巻き付けられ、トイレットペーパなどの紙ロールが形成される。紙ロールの巻付作業が完了した後、回転アームの回転速度を制御し、上巻きローラの回転速度より速くするか遅くするかすることにより発生する速度差により、薄紙が引張切断される。
【０００４】
また、他の従来技術において、接触式の薄紙引張切断方法および機構が存在する。例えば、回転ロッドを薄紙巻付装置に配置された上巻きローラ面に接触させ、上巻きローラ面を通過する薄紙を押え付けることにより、薄紙は、巻付部において形成される紙ロールの引張力を受けて引張切断される。
【０００５】
しかし、上述の従来の薄紙巻付装置においては、回転アームの回転速度を上巻きローラの回転速度と異なる速度にしなければ、速度差を利用して薄紙を引張切断することができない。また、薄紙が高靭性材料からなる場合、回転アームと上巻きローラとの間の速度差を大きくしなければ、薄紙を引張切断することができない。また、一般に、薄紙巻付装置には、通常、薄紙が搬送されるシュートの前に穿孔装置が配置され、先に薄紙に穿孔することにより、後続の薄紙巻付工程において、薄紙を所定の位置でスムーズに引張切断できるようになっている。しかし、これにより、薄紙巻付装置の構造が複雑なものとなる。
【０００６】
また、前述の従来技術である接触式の薄紙引張切断においては、回転ロッドを上巻きローラ面に実際に接触させなければならないため、機構を構成する部材の耐久性および安全性に関し、克服できない欠点が存在する。
【発明の概要】
【発明が解決しようとする課題】
【０００７】
本発明の第１の目的は、カッターおよび回転ロッドを利用して薄紙を切断する切断機構を有する薄紙巻付装置を提供することにある。
本発明の第２の目的は、吸気装置と、吸気シュートおよび中空シュートを有する切断機構と、を含む薄紙巻付装置を提供することにある。
本発明の第３の目的は、薄紙巻付装置中において、真空吸着力を発生させ、その真空吸着力とカッターとを組み合わせることにより、薄紙を切断する方法および装置を提供することにある。
【課題を解決するための手段】
【０００８】
上記課題を解決するために、請求項１の発明では、薄紙巻付装置の薄紙切断方法であって、前記薄紙巻付装置は、上巻きローラ、少なくとも１つのガイド板、下巻きローラおよび押さえローラを含み、前記ガイド板は、前記上巻きローラのローラ面の下方付近に配置される上、前記上巻きローラとの間にシュートが形成され、前記上巻きローラと前記下巻きローラと前記押さえローラとの間には、巻付部が形成され、前記上巻きローラの下方には、切断機構が配置され、前記切断機構は、回転軸と、前記回転軸から突出した回転ロッドと、を含み、前記回転ロッドは、薄紙接触端を含み、前記薄紙接触端には、少なくとも１つの吸着口が形成され、前記回転ロッドの薄紙接触端の吸着口の側辺の付近には、少なくとも１つのカッターが配置され、前記薄紙巻付装置の薄紙切断方法は、（ａ）薄紙を一回転方向に回転する前記上巻きローラの下半部のローラ面に貼り付け、前記シュートを通過させるステップと、（ｂ）前記シュートを通過した薄紙を前記巻付部において第１の紙管上に巻き付け、紙ロールを形成するステップと、（ｃ）前記回転ロッドを駆動して前記上巻きローラの回転方向と同一の方向に回転させ、前記回転ロッドの薄紙接触端を前記上巻きローラの接触位置の方向に周期的に回転させ、前記回転ロッドの薄紙接触端が前記接触位置に到達したとき、前記回転ロッドの薄紙接触端は、前記薄紙に接触する上、前記回転ロッドの薄紙接触端の回転方向は、前記上巻きローラの回転方向と逆方向であるステップと、（ｄ）前記回転ロッドの薄紙接触端が前記接触位置に位置するとき、前記吸着口により前記シュートを通過する薄紙を吸着するステップと、（ｅ）前記薄紙を巻付部に形成される紙ロールの引張力により引っ張って緊張させ、前記カッターを前記薄紙に緊密に当接し、前記薄紙を切断するステップと、を含むことを特徴とする。
【０００９】
請求項２の発明では、前記回転ロッドの薄紙接触端の吸着口と、前記カッターと、の間には、少なくとも１つの補助吸着口が設けられ、前記ステップ（ｄ）において、回転ロッドの薄紙接触端が前記接触位置に位置するとき、前記補助吸着口および前記薄紙接触端の吸着口は、前記薄紙を同時に吸着することを特徴とする。
【００１０】
請求項３の発明では、前記ステップ（ｃ）において、前記回転ロッドの薄紙接触端が前記接触位置まで回転したとき、前記回転ロッドの薄紙接触端は、前記薄紙を吸着する上、前記薄紙を前記上巻きローラの下半部のローラ面に緊密に接触させることを特徴とする。
【００１１】
請求項４の発明では、薄紙巻付装置の薄紙切断構造であって、前記薄紙巻付装置は、上巻きローラ、少なくとも１つのガイド板、下巻きローラおよび押さえローラを含み、前記ガイド板は、前記上巻きローラのローラ面の下方付近に配置される上、前記上巻きローラとの間にシュートが形成され、前記上巻きローラと前記下巻きローラと前記押さえローラとの間には、巻付部が形成され、前記シュートを通過した薄紙は、前記巻付部において第１の紙管に巻き付けられ、紙ロールを形成し、前記上巻きローラの下方付近には、切断機構が配置され、前記切断機構は、外側環状面を有する回転軸と、前記回転軸の外側環状面に配置され、前記回転軸の外側環状面に連結固定される回転軸連結端と、前記回転軸の外側環状面から突出する上、少なくとも１つの吸着口が形成される薄紙接触端と、を含む少なくとも１つの回転ロッドと、前記回転軸に連結され、前記回転軸を回転中心とし、前記回転ロッドを回転させるのに使用され、前記回転ロッドの薄紙接触端を回転軌跡円に沿って接触位置まで周期的に回転させるか、前記接触位置から離させ、前記回転ロッドの薄紙接触端が前記接触位置のとき、前記回転ロッドの薄紙接触端は、前記薄紙に接触する駆動機構と、前記回転ロッドの薄紙接触端の吸着口の側辺の付近に配置される少なくとも１つのカッターと、前記回転軸の内部に形成され、中空シュートにより、前記薄紙接触端の吸着口に連通する前記吸気シュートと、前記回転軸に連結される上、前記吸気シュートに連通し、前記回転ロッドの薄紙接触端の吸着口に真空吸着力を形成する吸気装置と、を含み、前記駆動機構の駆動により、前記回転ロッドの薄紙接触端が前記接触位置まで回転したとき、前記回転ロッドの薄紙接触端の吸着口は、前記シュートを通過する薄紙を吸着し、前記薄紙は、巻付部に形成される紙ロールの引張力により引っ張られて緊張し、前記カッターが前記薄紙に緊密に当接されることにより、切断されることを特徴とする。
【００１２】
請求項５の発明では、前記回転ロッドの薄紙接触端が前記接触位置まで回転したとき、前記回転ロッドの薄紙接触端の回転方向は、前記上巻きローラの回転方向と逆方向であることを特徴とする。
【００１３】
請求項６の発明では、前記回転ロッドの薄紙接触端の吸着口の付近には、前記中空シュートに連通する少なくとも１つの補助吸着口がさらに設けられることを特徴とする。
【００１４】
請求項７の発明では、前記補助吸着口は、前記回転ロッドの薄紙接触端の吸着口と、前記カッターと、の間に位置することを特徴とする。
【００１５】
請求項８の発明では、前記カッターは、前記回転ロッドの回転軌跡円から突出することを特徴とする。
【００１６】
請求項９の発明では、前記補助吸着口の形成位置は、前記回転ロッドの回転軌跡円よりも低い位置であることを特徴とする。
【００１７】
請求項１０の発明では、前記回転ロッドの薄紙接触端が接触位置まで回転したとき、前記回転ロッドの薄紙接触端は、前記薄紙を前記上巻きローラに緊密に接触させることを特徴とする。
【００１８】
請求項１１の発明では、前記カッターのカッター面は、鋸歯状構造であることを特徴とする。
【発明の効果】
【００１９】
本発明は、カッターと、回転ロッドと、回転ロッドに形成された薄紙接触端の吸着口と、を利用することにより、回転ロッドが駆動され、薄紙接触端が上巻きローラの接触位置の方向に回転したとき、薄紙接触端の吸着口が薄紙を吸着し、薄紙が巻付部に形成された紙ロールの引張力により引っ張られて緊張し、その薄紙にカッターが緊密に当接されて切断されるものである。これにより、薄紙を切断する工程をスムーズで確実に行うことができる上、薄紙が美麗に切断される。
さらに、カッターが薄紙の所定の位置を確実に切断できることにより、従来の薄紙巻付装置のように、穿孔装置を配置する必要がないため、薄紙巻付装置の構造を簡単にすることができる。
さらに、カッターが薄紙を切断するとき、回転ロッドの薄紙接触端の吸着口が薄紙を吸着し、薄紙が巻付部に形成された紙ロールの引張力により引っ張られて緊張し、その薄紙にカッターが緊密に当接されて切断される。即ち、薄紙を切断する工程において、カッターを上巻きローラのローラ面に直接接触させる必要がないため、部材の耐久性および安全性を改善することができる。
【図面の簡単な説明】
【００２０】
【図１】本発明の一実施形態による薄紙巻付装置を示す側面図である。
【図２】本発明の上巻きローラおよび切断機構の回転ロッドを示す側面図である。
【図３】切断機構の回転ロッドを示す断面図である。
【図４】本発明の一実施形態による薄紙巻付装置の薄紙切断構造により、薄紙を切断する様子を示す第１の側面図である。
【図５】本発明の一実施形態による薄紙巻付装置の薄紙切断構造により、薄紙を切断する様子を示す第２の側面図である。
【図６】本発明の一実施形態による薄紙巻付装置の薄紙切断構造により、薄紙を切断する様子を示す第３の側面図である。
【図７】本発明の一実施形態による薄紙巻付装置の薄紙切断構造により、薄紙を切断する様子を示す第４の側面図である。
【図８】図７の点線円Ｃ内を示す拡大図である。
【図９】本発明の一実施形態による薄紙巻付装置の薄紙切断構造により、薄紙を切断する様子を示す第５の側面図である。
【図１０】本発明の一実施形態による薄紙巻付装置の薄紙切断構造により、薄紙を切断する様子を示す第６の側面図である。
【図１１】本発明の一実施形態による薄紙巻付装置の薄紙切断構造により、薄紙を切断する様子を示す第７の側面図である。
【図１２】本発明の一実施形態による薄紙巻付装置の薄紙切断構造により、薄紙を切断する様子を示す第８の側面図である。
【図１３】本発明に使用されるカッターの鋸歯状のカッター面を示す模式図である。
【発明を実施するための形態】
【００２１】
図１を参照する。図１に示すように、本発明の一実施形態による薄紙巻付装置１００は、ベース１１、上巻きローラ１２、複数のガイド板１３（側面図では、１つしか見えない）、切断機構１４、下巻きローラ１５、押さえローラ１６、紙管搬送装置１７、一対の挟持搬送ローラ２１および傾斜シュート２３を含む。
【００２２】
ガイド板１３は、上巻きローラ１２のローラ面の下方付近に配置される上、上巻きローラ１２との間にシュート３が形成される。上巻きローラ１２と下巻きローラ１５と押さえローラ１６との間には、巻付部１９が形成される。所定の厚さおよび幅を有する薄紙４は、搬送方向Ｉ１に沿って挟持搬送ローラ２１を経由して搬送される。薄紙４は、上巻きローラ１２の下半部のローラ面に貼り付き、巻付部１９に位置する第１の紙管５上に巻き付けられる。これにより、巻付部１９において、所定の直径の紙ロール５１（例えば、トイレットペーパなど）が形成される。
【００２３】
図２を参照する。図２に示すように、切断機構１４は、上巻きローラ１２の下方付近に配置される。切断機構１４は、回転軸１４１および少なくとも１つの回転ロッド１４２を含む。回転軸１４１は、外側環状面１４１ａを有し、ベース１１に接合配置される。回転ロッド１４２は、回転軸１４１の外側環状面１４１ａに配置される。回転ロッド１４２は、回転軸１４１の外側環状面１４１ａに連結固定される回転軸連結端１４２ａと、回転軸１４１の外側環状面１４１ａから突出する薄紙接触端１４２ｂと、を含む。
【００２４】
駆動機構（図示せず）は、回転軸１４１を回転中心とし、回転ロッド１４２を駆動回転させる。回転ロッド１４２の回転方向Ｉ３は、上巻きローラ１２の回転方向Ｉ２と同一の方向である。即ち、回転ロッド１４２の薄紙接触端１４２ｂが接触位置Ａまで回転したとき、回転ロッド１４２の薄紙接触端１４２ｂの回転方向Ｉ３は、上巻きローラ１２の回転方向Ｉ２と逆方向である。回転ロッド１４２の回転軌跡は、回転軌跡円１４２ｄを形成する。
【００２５】
図３を同時に参照する。回転ロッド１４２の薄紙接触端１４２ｂには、吸着口１４２ｃが設けられる。また、回転軸１４１の内部は、中空管状であり、吸気シュート１４１ｂを有する。回転軸１４１の外側環状面１４１ａの選定された位置には、吸気シュート１４１ｂに連通する複数の開孔１４１ｃが設けられる。また、回転ロッド１４２には、吸着口１４２ｃおよび回転軸１４１の開孔１４１ｃに連通する少なくとも１つの中空シュート１４２ｅが設けられる。回転軸１４１には、回転軸１４１の吸気シュート１４１ｂ中の空気と、回転ロッド１４２の中空シュート１４２ｅ中の空気と、を吸引し、回転ロッド１４２の薄紙接触端１４２ｂの吸着口１４２ｃに真空吸着力を発生させる吸気装置（図示せず）が連結される。薄紙接触端１４２ｂの吸着口１４２ｃは、吸着口１４２ｃが薄紙４を吸着するとき、最も優れた吸着効果を達成することができる凹状構造であるのが好ましい。
【００２６】
図２および図３を同時に参照する。回転ロッド１４２の薄紙接触端１４２ｂにおける、回転ロッド１４２の回転方向Ｉ３と反対側の側辺の付近には、少なくとも１つのカッター１４４が配置される。カッター１４４の突出長さは、回転ロッド１４２の回転軌跡円１４２ｄから若干突出する長さである。
【００２７】
回転ロッド１４２の薄紙接触端１４２ｂには、吸着口１４２ｃが設けられる以外に、吸着口１４２ｃとカッター１４４との間に補助吸着口１４２ｆが設けられる。補助吸着口１４２ｆも中空シュート１４２ｅに連通する。回転軌跡円１４２ｄを基準とすると、補助吸着口１４２ｆの形成位置は、カッター１４４の突出長さより若干低い位置であるのが好ましい。
【００２８】
図４〜図１２を参照する。図４〜図１２は、本発明の一実施形態による薄紙巻付装置の薄紙切断構造が薄紙を切断する様子を示す側面図である。回転ロッド１４２が駆動機構１４３に駆動されて回転方向Ｉ３に沿って回転し、回転ロッド１４２の薄紙接触端１４２ｂが上巻きローラ１２の接触位置Ａの方向に周期的に回転する（図５を参照）。このとき、回転ロッド１４２の薄紙接触端１４２ｂは、薄紙４に接触する。また、回転ロッド１４２の薄紙接触端１４２ｂの吸着口１４２ｃが薄紙４を吸着する。
【００２９】
図５に示すように、回転ロッド１４２の薄紙接触端１４２ｂが接触位置Ａまで回転したとき、回転ロッド１４２の薄紙接触端１４２ｂが薄紙４を吸着する上、薄紙４の上面を上巻きローラ１２の下半部のローラ面に緊密に接触させる。本発明の他の実施形態においては、回転ロッド１４２の薄紙接触端１４２ｂが接触位置Ａのとき、薄紙接触端１４２ｂは、薄紙４を吸着するのみであり、上巻きローラ１２との間に所定の間隔を保持し、薄紙４を上巻きローラ１２の下半部のローラ面に接触させない。
【００３０】
次に、第２の紙管６が紙管搬送装置１７の受板１７１により搬送され、ガイド板１３と上巻きローラ１２との間に形成されるシュート３の入口に到達する。その後、第２の紙管６は、紙管搬送装置１７の押し板１７２が回転することにより、シュート３内に押し入れられる（図６を参照）。
【００３１】
薄紙４は、回転ロッド１４２の薄紙接触端１４２ｂの吸着口１４２ｃによって吸着されると同時に、吸着口１４２ｃの隣に位置する補助吸着口１４２ｆによっても吸着されることにより、複数回湾曲した形態となる（図６を参照）。これにより、薄紙４の底面は、回転ロッド１４２の薄紙接触端１４２ｂにより、安定的に吸着される。
【００３２】
回転ロッド１４２が回転方向Ｉ３に所定の角度回転したとき、薄紙４の右端は、巻付部１９に形成される紙ロール５１による引張力により引っ張られて緊張する。このとき、回転ロッド１４２に配置されたカッター１４４が薄紙４に緊密に当接され、薄紙４を切断する（図７および図８を参照）。また、薄紙４の切断部分は、第１の紙管５に近い終端部４３と、第２の紙管６に近い始端部４４と、に分断される。薄紙４の終端部４３は、第１の紙管５上に巻き付けられ、紙ロール５１の巻付が完了する。
【００３３】
薄紙４が切断されると同時に、吸気装置により、回転ロッド１４２の薄紙接触端１４２ｂが薄紙４の始端部４４を吸着する。また、回転ロッド１４２が接触位置Ａにおいて逆方向に回転するため、薄紙４の始端部４４は、シュート３に進入したばかりの第２の紙管６までガイドされる。これにより、薄紙４の始端部４４は、第２の紙管６の外側環状面に若干巻き付けられる（図７、図８、図９および図１０を参照）。
【００３４】
回転ロッド１４２が回転して薄紙４およびシュート３から離れた後、第２の紙管６は、シュート３に沿って前方に転がり続け、薄紙４の始端部４４は、第２の紙管６上に完全に巻き付けられる。これと同時に、薄紙４の終端部４３が紙ロール５１上に巻き付けられ、紙ロール５１の巻付が完了する（図１１および図１２を参照）。
【００３５】
第２の紙管６は、下巻きローラ１５の回転速度が減速することによって発生する上巻きローラ１２と下巻きローラ１５との間の速度差により、巻付部１９に搬送される（図１２を参照）上、新しい紙ロールの巻付作業が開始される。完成した紙ロール５１は傾斜シュート２３に沿って排出される。
【００３６】
このとき、紙ロール５１は、すでに傾斜シュート２３に沿って排出されている。また、押さえローラ１６は、揺動アーム１６１に連結されている（図１を同時に参照）。揺動アーム１６１は、回転中心軸１６２を含み、回転中心軸１６２を中心として揺動可能であるため、揺動アーム１６１に連結された押さえローラ１６も揺動アーム１６１の揺動軌跡に伴って上下に移動する。これにより、紙ロール５１が排出された後、本来、紙ロール５１に押圧接触していた押さえローラ１６は、下方に移動し、第２の紙管６に押圧接触する。
【００３７】
上述のカッター１４４は、実際に薄紙４を切断する部材である。カッター１４４のカッター面１４４ａは、直線状とすることができる。また、鋸歯状構造（図１３を参照）に設計してもよく、これにより、薄紙４をさらにスムーズに切断することができる。
【００３８】
当該技術分野の当業者が実施できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３９】
３  シュート
４  薄紙
５  第１の紙管
６  第２の紙管
１１  ベース
１２  上巻きローラ
１３  ガイド板
１４  切断機構
１５  下巻きローラ
１６  押さえローラ
１７  紙管搬送装置
１９  巻付部
２１  挟持搬送ローラ
２３  傾斜シュート
４３  終端部
４４  始端部
５１  紙ロール
１００  薄紙巻付装置
１４１  回転軸
１４１ａ  外側環状面
１４１ｂ  吸気シュート
１４１ｃ  開孔
１４２  回転ロッド
１４２ａ  回転軸連結端
１４２ｂ  薄紙接触端
１４２ｃ  吸着口
１４２ｄ  回転軌跡円
１４２ｅ  中空シュート
１４２ｆ  補助吸着口
１４４  カッター
１４４ａ  カッター面
１６１  揺動アーム
１６２  回転中心軸
１７１  受板
１７２  押し板
Ａ  接触位置
Ｉ１  搬送方向
Ｉ２  回転方向
Ｉ３  回転方向
【図１】
2011190107.tif 000003
【図２】
2011190107.tif 000004
【図３】
2011190107.tif 000005
【図４】
2011190107.tif 000006
【図５】
2011190107.tif 000007
【図６】
2011190107.tif 000008
【図７】
2011190107.tif 000009
【図８】
2011190107.tif 000010
【図９】
2011190107.tif 000011
【図１０】
2011190107.tif 000012
【図１１】
2011190107.tif 000013
【図１２】
2011190107.tif 000014
【図１３】
2011190107.tif 000015